(57)【要約】【課題】所望のワイヤレスＵＳＢホストに接続することが可能な電子機器および無線接続制御方法を提供する。【解決手段】アソシエーション処理済みの各ホスト装置毎に接続の許可または不許可を示す設定情報を、ホスト装置１０からの操作によって変更、更新でき、アソシエーション処理済みのホスト装置１０を検出した場合、検出されたホスト装置１０が接続を許可されているか否かを設定情報に基づいて判別し、認証が承認された場合、無線通信部４７と検出されたホスト装置１０との間の無線通信の実行を許可する。【選択図】      図１
2008140057.tif 000002
【特許請求の範囲】
【請求項１】
電子機器において、
無線通信を実行する無線通信部と、
前記電子機器にホスト装置が有線接続されたことに応答して、前記ホスト装置と前記電子機器との間で固有の鍵を共有するためのアソシエーション処理を前記ホスト装置と前記電子機器との間の有線接続を介して実行するアソシエーション処理手段と、
記憶部と、
前記記憶部に、前記アソシエーション処理手段によるアソシエーション処理済みの各ホスト装置毎に接続の許可または不許可を示す設定情報が格納されている場合、前記ホスト装置からの設定情報の送信要求に基づいて、前記ホスト装置に前記設定情報を送信する送信手段と、
前記ホスト装置によって接続の許可または不許可が変更された設定情報を前記ホスト装置から受信した場合は、受信した前記設定情報に基づいて前記記憶部に格納されている前記設定情報を更新する手段と、
前記無線通信部が前記無線通信部との無線接続が可能なアソシエーション処理済みのホスト装置を検出した場合、前記検出されたホスト装置が接続を許可されているか否かを前記設定情報に基づいて判別し、許可されている場合、前記無線通信部と前記検出されたホスト装置との間の無線通信を許可する認証処理手段と、
を具備することを特徴とする電子機器。
【請求項２】
請求項１に記載の電子機器において、
前記送信手段は、前記アソシエーション処理済みのホスト装置の設定情報のうち所定のホスト装置の情報を更新可能であることを特徴とする電子機器。
【請求項３】
請求項１に記載の電子機器において、
前記設定情報に基づいて、接続が許可されているホスト装置に接続要求を送信した場合、最初に応答があったホスト装置に対して接続処理を行うことを特徴とする電子機器。
【請求項４】
電子機器とホスト装置との間の無線接続を制御するための無線接続制御方法であって、
前記電子機器にホスト装置が有線接続されたことに応答して、前記ホスト装置と前記電子機器との間で固有の鍵を共有するためのアソシエーション処理を前記ホスト装置と前記電子機器との間の有線接続を介して実行するアソシエーション処理ステップと、
前記電子機器に設けられた記憶部に、前記アソシエーション処理ステップによるアソシエーション処理済みの各ホスト装置毎に接続の許可または不許可を示す設定情報が格納されている場合、前記ホスト装置からの設定情報の送信要に基づいて、前記ホスト装置に前記設定情報を送信する設定ステップと、
前記ホスト装置によって接続の許可または不許可が変更された設定情報を前記ホスト装置から受信した場合は、受信した前記設定情報に基づいて前記記憶部に格納されている前記設定情報を更新するステップと、
前記無線通信部が前記無線通信部との無線接続が可能なアソシエーション処理済みのホスト装置を検出した場合、前記検出されたホスト装置が接続を許可されているか否かを前記設定情報に基づいて判別し、許可されている場合、前記無線通信部と前記検出されたホスト装置との間の無線通信を許可する認証処理ステップと、
を具備することを特徴とする無線接続制御方法。
【請求項５】
請求項４に記載の無線接続制御方法において、
前記設定ステップでは、前記アソシエーション処理済みのホスト装置の設定情報のうち、所定のホスト装置の情報を更新可能であることを特徴とする無線接続制御方法。
【請求項６】
請求項４に記載の無線接続制御方法において、
前記設定情報に基づいて、接続が許可されているホスト装置に接続要求を送信した場合、最初に応答があったホスト装置に対して接続処理を行うことを特徴とする無線接続制御方法。
【発明の詳細な説明】
【技術分野】
【０００１】
本発明は、無線通信機能を有する電子機器および同機器で用いられる無線接続制御方法に関する。
【背景技術】
【０００２】
近年、ラップトップタイプまたはノートブックタイプの種々の携帯型パーソナルコンピュータが開発されている。この種のコンピュータは、そのコンピュータの機能拡張のために、ユニバーサルシリアルバス（ＵＳＢ）インタフェース、ＩＥＥＥ１３９４インタフェースのような接続ポートを備えている。この接続ポートには、周辺機器（例えば、ストレージデバイス、プリンタ、等）としてそれぞれ機能する様々な電子機器を接続することができる。
【０００３】
しかし、電子機器をケーブルを介してコンピュータに接続するという構成は、携帯型パーソナルコンピュータにとってはその携帯性を損なう要因にもなる。
【０００４】
そこで、最近では、ワイヤレスＵＳＢ規格のような新たな近距離無線方式が開発され始めている。ワイヤレスＵＳＢ規格を用いて接続する場合には、アソシエーション処理という認証処理を行う必要があり、認証が行われた機器同士の接続が許可される。所定のホストコンピュータとクライアント端末を接続する場合には、例えば、特許文献１に開示されているように、接続の許可が行われているものについて接続を行うようにする。
【特許文献１】特開２００３−１１４７８９号公報
【発明の開示】
【発明が解決しようとする課題】
【０００５】
しかし、各種電子機器とコンピュータとの間が無線接続される環境においては、あるユーザが所有する電子機器が、他のユーザのコンピュータから無線通信によって不正にアクセスされる可能性がある。
【０００６】
ワイヤレスＵＳＢ規格においては、ワイヤレスＵＳＢホストとワイヤレスＵＳＢデバイスとの間を関連づけるための手順として、ケーブルアソシエーションモデルが規定されている。ワイヤレスＵＳＢホストにケーブル介してワイヤレスＵＳＢデバイスが一旦接続されると、以降は、これらワイヤレスＵＳＢホストとワイヤレスＵＳＢデバイスとの間の無線通信を実行することが可能となる。
【０００７】
さらに、１つのワイヤレスＵＳＢデバイスに対して、アソシエーションが行われたワイヤレスＵＳＢホストが複数ある場合は、接続先を指定することができないという問題がある。
【０００８】
本発明は上述の事情を考慮してなされたものであり、所望のワイヤレスＵＳＢホストに接続することが可能な電子機器および無線接続制御方法を提供することを目的とする。
【課題を解決するための手段】
【０００９】
本発明の一態様によれば、電子機器において、無線通信を実行する無線通信部と、前記電子機器にホスト装置が有線接続されたことに応答して、前記ホスト装置と前記電子機器との間で固有の鍵を共有するためのアソシエーション処理を前記ホスト装置と前記電子機器との間の有線接続を介して実行するアソシエーション処理手段と、記憶部と、前記記憶部に、前記アソシエーション処理手段によるアソシエーション処理済みの各ホスト装置毎に接続の許可または不許可を示す設定情報が格納されている場合、前記ホスト装置からの設定情報の送信要求に基づいて、前記ホスト装置に前記設定情報を送信する送信手段と、前記ホスト装置によって接続の許可または不許可が変更された設定情報を前記ホスト装置から受信した場合は、受信した前記設定情報に基づいて前記記憶部に格納されている前記設定情報を更新する手段と、前記無線通信部が前記無線通信部との無線接続が可能なアソシエーション処理済みのホスト装置を検出した場合、前記検出されたホスト装置が接続を許可されているか否かを前記設定情報に基づいて判別し、許可されている場合、前記無線通信部と前記検出されたホスト装置との間の無線通信を許可する認証処理手段と、を具備することを特徴とする電子機器が提供される。
【発明の効果】
【００１０】
本発明によれば、所望のワイヤレスＵＳＢホストに接続することが可能となる。
【発明を実施するための最良の形態】
【００１１】
以下、図面を参照して本発明の実施形態を説明する。
【００１２】
まず、図１を参照して、本発明の一実施形態に係る電子機器の機能構成を説明する。
【００１３】
本電子機器は、ホスト装置との無線通信を実行可能なデバイス１０として実現されている。このデバイス１０は、例えば、ワイヤレスＵＳＢ規格に従ってワイヤレスＵＳＢホストとの無線通信を実行するワイヤレスＵＳＢデバイスとして機能する。このデバイス１０は、ストレージデバイス、プリンタのような周辺装置、またはデバイスワイヤードアダプタ（ＤＷＢ）と称されるアダプタから構成されている。ＤＷＢは、既存の有線ＵＳＢデバイスをワイヤレスＵＳＢホストに接続するためのアダプタ（ハブ）である。
【００１４】
ホスト装置１０も無線通信機能を有しており、ワイヤレスＵＳＢホストとして機能する。ホスト装置１０は例えば携帯型パーソナルコンピュータから構成されている。
【００１５】
ワイヤレスＵＳＢにおいては、ワイヤレスＵＳＢホストは、最大１２７台のワイヤレスＵＳＢデバイスとの無線通信を行うことができる。
【００１６】
デバイス２０は、既存の有線ＵＳＢインタフェースを介してホスト装置に有線接続する機能、およびワイヤレスＵＳＢによってホスト装置に無線接続する機能の双方を有している。
【００１７】
すなわち、デバイス２０は、接続ポート４０、有線ＵＳＢインタフェース４１、アソシエーション処理部４２、パスワード検証部４３、パスワード記憶部４４、記憶部４５、認証（Authentication）処理部４６、および無線通信部３４等を備えている。
【００１８】
接続ポート３０はＵＳＢコネクタから構成されている。有線ＵＳＢインタフェース３１はＵＳＢケーブル１を介してホスト装置１０との有線通信を実行する。アソシエーション処理部３２は、電子機器２０にホスト装置１０が有線接続された時に、ケーブルアソシエーションモデルに従ってアソシエーション処理を実行する。このアソシエーション処理はホスト装置１０とデバイス２０との間で固有の鍵を共有するための処理であり、ホスト装置１０とデバイス２０との間がＵＳＢケーブル１を介して有線接続されている状態で実行される。もちろん、このアソシエーション処理は、ホスト装置１０の接続ポート３０にデバイス２０の接続ポート４０が物理的に接続された時にも実行される。
【００１９】
具体的には、アソシエーション処理においては、ホスト装置１０とデバイス２０との間のデータ交換のための通信が行われ、そしてホスト装置１０からデバイス２０に対して、コネクションコンテンツ（ＣＣ）と称される接続情報が配布される。ホスト装置１０から送信されるＣＣは、記憶部４５に格納される。また、アソシエーション処理が行われたホスト装置１０の情報を設定情報として記憶部４５に格納される。設定情報は、デバイス２０からアソシエーション処理が行われたホスト装置１０の一覧の情報であり、後術する箇々のホスト装置１０への接続許可または接続不可の情報も包含するものである。
【００２０】
ＣＣはホスト装置１０とデバイス２０との間を関連付けるための情報であり、ホスト装置１０とデバイス２０がそれぞれ持ち合う。ＣＣは、ホスト装置１０を識別するＩＤであるＣＨＩＤ（Connection Host ID）と、デバイス２０を識別するＩＤであるＣＤＩＤ（Connection Device ID）と、ＣＫ（Connection Key）とを含む。ＣＫ（Connection Key）はホスト装置１０とデバイス２０との間で共有される、上述した固有の鍵であり、ホスト装置１０とデバイス２０との間でセキュアな無線接続を確立するために用いられる。ホスト装置とデバイスとの組毎に、一つのＣＣが生成される。もしデバイス２０が複数のホストそれぞれとのアソシエーション処理を完了したならば、複数のＣＣがデバイス２０の記憶部４５に格納される。
【００２１】
ホスト装置１０とデバイス２０との間のアソシエーション処理が一度実行されると、以降は、ホスト装置１０とデバイス２０との間の通信は、ホスト装置１０とデバイス２０との間をケーブル１を介して接続することなく、無線によって行うことができる。
【００２２】
通常、アソシエーション処理は、デバイス２０がＵＳＢケーブル１等を介してホスト装置１０に有線接続された時に自動的に実行される。このため、もし不正者によってデバイス２０が不正者の所有するコンピュータに一旦有線接続されてしまうと、以降は、デバイス２０が不正者が自身の所有するコンピュータから無線によって不正にアクセスされてしまう危険がある。
【００２３】
本実施形態においては、デバイス２０は、アソシエーション処理が無制限に実行されるのを防止するために、パスワード検証部４３を備えている。
【００２４】
パスワード検証部４３は、もしパスワード記憶部４４にパスワード（アソシエーションパスワード）が格納されているならば、アソシエーション処理が実行される前に、パスワード検証処理を実行する。パスワード検証処理においては、パスワード検証部４３は、ホスト装置１０からＵＳＢケーブル１を介して送信されるパスワードとアソシエーションパスワードとを比較し、それらパスワードが一致するか否かを判別する。それらパスワードが一致したならば、パスワード検証部４３は、アソシエーション処理部４２がアソシエーション処理を実行することを許可する。一方、一致しなかった場合には、パスワード検証部４３は、アソシエーション処理部４２がアソシエーション処理を実行することを禁止する。パスワード検証処理は、パスワード記憶部４４にアソシエーションパスワードが格納されていない場合には実行されない。
【００２５】
デバイス２０の所有者は、例えば、自身のコンピュータにデバイス２０をＵＳＢケーブル等を介して有線接続し、そして専用のユーティリティプログラムを用いてデバイス２０にパスワードを設定することにより、デバイス２０が他のユーザによって使用されることを防止することができる。
【００２６】
認証処理部４６は、無線通信部４７が当該無線通信部４７との無線接続が可能なホスト装置を検出した時、検出されたホスト装置とデバイス２０とが同じ鍵（ＣＫ）を共有しているか否か、つまり同じＣＣを持ち合っているか否かを判別する認証処理を実行する。検出されたホスト装置とデバイス２０とが同じ鍵（ＣＫ）を共有していることが判別されたならば、認証処理部４６は、検出されたホスト装置と無線通信部４７との間の無線通信の実行を許可する。この場合、ホスト装置とデバイス２０との間の無線通信で転送されるデータは、認証処理内でＣＫから生成される、暗号化鍵を用いて暗号化される。検出されたホスト装置とデバイス２０とが同じ鍵（ＣＫ）を共有していないならば、認証処理部４６は、検出されたホスト装置と無線通信部４７との間の無線通信の実行を禁止する。
【００２７】
また、認証処理部４６は、記憶部４５に格納された設定情報に基づいて、デバイス２０からアソシエーション処理が行われた箇々のホスト装置１０への接続許可または接続不可を判別する。
【００２８】
無線通信部４７は、ワイヤレスＵＳＢ規格に従ってワイヤレスＵＳＢホストとの無線通信を実行する無線通信モジュールである。
【００２９】
ホスト装置１０は、本体１１と、この本体１１に取り付けられたディスプレイユニット１２とから構成されている。ディスプレイユニット１２には、液晶表示装置（ＬＣＤ）１２１が内蔵されている。本体１１の上面上には、キーボード１３、電源ボタン１４、タッチパッド１６等が配置されている。
【００３０】
ホスト装置１０は、既存の有線ＵＳＢインタフェースを介してデバイス１０に有線接続する機能、およびワイヤレスＵＳＢによってデバイス１０に無線接続する機能の双方を有している。
【００３１】
すなわち、ホスト装置１０は、接続ポート３０、有線ＵＳＢインタフェース３１、アソシエーション処理部３２、記憶部３３、認証（Authentication）処理部３４、および無線通信部３５等を備えている。
【００３２】
アソシエーション処理部３２は、上述のケーブルアソシエーションモデルに従って、ホスト装置１０に有線接続されたデバイス（ワイヤレスＵＳＢ）との間でアソシエーション処理を実行する。アソシエーション処理においては、アソシエーション処理部３２は、ホスト装置１０とデバイスとの間で固有のＣＣ（ＣＨＩＤ，ＣＤＩＤ，ＣＫを含む）を生成し、そしてそのＣＣをデバイスに送信すると共に、記憶部３３に格納する。
【００３３】
認証処理部３４は、無線通信部３５によってデバイスからの無線接続要求が受信された時、そのデバイスとホスト装置１０とが同じ鍵（ＣＫ）を共有しているか否か、つまり同じＣＣを持ち合っているか否かを判別する認証処理を実行する。ホスト装置１０とデバイスとが同じ鍵（ＣＫ）を共有していることが判別されたならば、認証処理部３４は、ホスト装置１０とデバイスとの間の無線通信の実行を許可する。
【００３４】
無線通信部３５は、ワイヤレスＵＳＢ規格に従ってワイヤレスＵＳＢデバイスとの無線通信を実行する無線通信モジュールである。
【００３５】
次に、図２および図３を参照して、ホスト装置１０およびデバイス２０それぞれのハードウェア構成を説明する。
【００３６】
図３は、ホスト装置１０のハードウェア構成例を示している。
【００３７】
ホスト装置１０には、ＣＰＵ１１１、ノースブリッジ１１２、主メモリ１１３、表示コントローラ１１４、サウスブリッジ１１５、ハードディスクドライブ（ＨＤＤ）１１６、ＢＩＯＳ−ＲＯＭ１１７、エンベデッドコントローラ／キーボードコントローラＩＣ（ＥＣ／ＫＢＣ）１１７、および電源回路１２０等が設けられている。
【００３８】
ＣＰＵ１１１は、ホスト装置１０の各コンポーネントの動作を制御するプロセッサである。このＣＰＵ１１１は、ＨＤＤ１１６から主メモリ１１３にロードされる、オペレーティングシステムおよび各種アプリケーションプログラム／ユーティリティプログラムを実行する。また、ＣＰＵ１１１は、ＢＩＯＳ−ＲＯＭ１１７に格納されたＢＩＯＳも実行する。
【００３９】
ノースブリッジ１１２は、ＣＰＵ１１１のローカルバスとサウスブリッジ１１５との間を接続するブリッジデバイスである。また、ノースブリッジ１１２は、ＡＧＰ（Accelerated Graphics Port）バスなどを介して表示コントローラ１１４との通信を実行する機能も有している。さらに、ノースブリッジ１１２には、主メモリ１１３を制御するメモリコントローラも内蔵されている。
【００４０】
表示コントローラ１１４は、ホスト装置１０のディスプレイモニタとして使用されるＬＣＤ１２１を制御する。サウスブリッジ１１５には、ＰＣＩ（Peripheral Component Interconnect）バスなどを介して上述の無線通信部３５が接続されている。また、サウスブリッジ１１５は、不揮発性メモリ２０１と、上述のＵＳＢホストコントローラ３０６を内蔵している。
【００４１】
ＬＰＣ（Low Pin Count）バスに接続されたエンベデッドコントローラ／キーボードコントローラＩＣ（ＥＣ／ＫＢＣ）１１８は、電源管理のためのエンベデッドコントローラと、キーボード（ＫＢ）１３およびタッチパッド（マウス）１６などを制御するキーボードコントローラとが集積された１チップマイクロコンピュータである。
【００４２】
エンベデッドコントローラ／キーボードコントローラＩＣ１１８は、電源回路１１９と共同して、ユーザによる電源ボタン１４の操作に応じてホスト装置１０を電源オン／電源オフする。電源回路１１９は、バッテリ１２０、またはＡＣアダプタ１２１を介して供給される外部電源を用いてホスト装置１０の各コンポーネントに供給すべき電源を生成する。
【００４３】
図４は、デバイス２０のハードウェア構成例を示している。
【００４４】
デバイス２０は、上述した無線通信部４７、不揮発性メモリ４０１、ＵＳＢコントローラ４０５に加え、コントローラ５０１、およびファンクション実行部５０２を備えている。
【００４５】
コントローラ５０１はＭＰＵ５１１を内蔵しており、このＭＰＵ５１１によって無線通信部４７の無線通信動作およびＵＳＢコントローラ４０５の有線通信動作が制御される。また、ＭＰＵ５１１は、上述のアソシエーション処理、パスワード検証処理、および認証処理等も実行する。
【００４６】
なお、上述のアソシエーション処理、パスワード検証処理、および認証処理等をそれぞれ専用のハードウェアによって実現することもできる。
【００４７】
ファンクション実行部５０２は、デバイス２０を、例えばストレージデバイス、プリンタのような周辺装置として、または上述のＤＷＡとして機能させるためのユニットである。
【００４８】
次に、図４を参照して、本実施形態で用いられる設定情報の変更処理の概略を説明する。
【００４９】
まず、デバイス２０は、例えば図５に示すように、予めアソシエーション処理が済んだホスト装置１０のリストを保持しているものとする。また、同様にホスト装置１０においても、アソシエーション処理が済んだデバイス２０のリストを保持しているものとする。
【００５０】
（１）ユーザは、専用のアプリケーションを起動し、設定情報をデバイス２０に要求する指示をホスト装置１０に出す。
【００５１】
（２）ホスト装置１０は、デバイス２０に対し、設定情報の送信要求をデバイス２０に送信する。
【００５２】
（３）デバイス２０は、設定情報の送信要求を受け取ると、記憶部４５に記憶している設定情報（図５参照）を読み出し、ホスト装置１０に送信する。
【００５３】
（４）ホスト装置１０は、設定情報をデバイス２０から受け取ると、専用のアプリケーションのＧＵＩ表示を用いて設定情報を例えば、図５に示すように表示する。
【００５４】
（５）ユーザは、専用のアプリケーションのＧＵＩを操作することによって、アソシエーション処理済みの各ホストに対する接続の許可・不許可の背ってを変更する。さらに、必要に応じて、設定情報のリストからホスト名を削除する。
【００５５】
（６）変更操作が終わると、ホスト装置１０は、ホスト装置１０の記憶部３３に設定情報を記憶後に、変更後の設定情報をデバイス２０に送信する。
【００５６】
（７）デバイス２０は、変更後の設定情報を受信し、受信した変更後の設定情報を用いてデバイス２０の記憶部４５に記憶した設定情報を更新する。
【００５７】
このように、本実施形態においては、ホスト装置１０から、ワイヤレスＵＳＢで接続するデバイス２０を設定することができ、所望のデバイス２０と効率よくワイヤレスＵＳＢで接続することができる。
【００５８】
次に、設定情報が更新された後に、ホスト装置１０とデバイス２０とが接続する処理について説明する。
【００５９】
図６のフローチャートは、本実施形態の電子機器を適用した無線接続制御方法について示したフローチャートである。
【００６０】
デバイス２０は、デバイスが保持する設定情報を参照して、接続許可となっているホスト装置を選択する（ステップＳ１０１）。デバイス２０は、選択したホスト装置が定期的に出しているビーコンを受信する（ステップＳ１０２）。デバイス２０は、選択したホスト装置が複数の場合、受信したビーコンのうち、最初にデバイス２０が受信したビーコンのホスト装置に対して接続要求を出す（ステップＳ１０３）。接続要求を受信したホスト装置は、ホスト装置が保持する接続情報のリストを参照し、リストの接続許可のデバイスであれば、接続する（認証処理：ステップＳ１０４）。
【００６１】
以上のように、本実施形態によれば、ホスト装置１０とデバイス２０との間の無線接続の制御は、設定情報に基づいて認証処理を用いて実行される。さらに、設定情報の接続の許可・不許可の設定は、任意にホスト装置から行うことができる。この場合、所望のワイヤレスＵＳＢホストに接続することが可能なワイヤレスＵＳＢデバイスを提供することができる。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６３】
【図１】本発明の一実施形態に係る電子機器の機能構成を示すブロック図。
【図２】同実施形態の電子機器に設けられた、アソシエーション処理のための構成を示すブロック図。
【図３】同実施形態の電子機器と通信するホスト装置のハードウェア構成を示すブロック図。
【図４】同実施形態の電子機器で用いられるアソシエーション制御処理の概略を説明するための図。
【図５】設定情報の一例を示した模式図。
【図６】本実施形態の電子機器を適用した無線接続制御方法について示したフローチャート。
【符号の説明】
【００６４】
１…ＵＳＢケーブル、１０…ホスト装置、２０…デバイス（電子機器）、４１…有線ＵＳＢインタフェース、４２…アソシエーション処理部、４３…パスワード検証部、４４…パスワード記憶部、４６…認証処理部、４７…無線通信部。
【図１】
2008140057.tif 000003
【図２】
2008140057.tif 000004
【図３】
2008140057.tif 000005
【図４】
2008140057.tif 000006
【図５】
2008140057.tif 000007
【図６】
2008140057.tif 000008